(57)【要約】【課題】バール等によりドアをこじ開けることが困難で防犯性の高いドアサッシを提供する。【解決手段】方形状の枠体１内部に施錠装置を備えたドア２を開閉自在に納めてなるドアサッシにおいて、施錠装置はドア２の側面から出没自在なデッド部材６から構成され、枠体１には内周面にデッド部材６と係合する受部１３が設けられると共に、受部１３の設置位置の外周面には補強部材１５が設けられてなる。また、補強部材１５は枠体１に対して固定される枠体固定部１５ａと、枠体１が取付けられる建物躯体２０に対して固定される躯体固定部１５ｂとを有してなる。【選択図】図２
2006265995.tif 000002
【特許請求の範囲】
【請求項１】
方形状の枠体内部に施錠装置を備えたドアを開閉自在に納めてなるドアサッシにおいて、
上記施錠装置は上記ドアの側面から出没自在なデッド部材から構成され、上記枠体には内周面に上記デッド部材と係合する受部が設けられると共に、該受部の設置位置の外周面には補強部材が設けられてなることを特徴とするドアサッシ。
【請求項２】
上記補強部材は上記枠体に対して固定される枠体固定部と、上記枠体が取付けられる建物躯体に対して固定される躯体固定部とを有してなることを特徴とする請求項１記載のドアサッシ。
【請求項３】
上記枠体は外周面に建物躯体に対して当接固定されるフィン部を備え、上記枠体固定部は上記枠体の外周面に当接して固定され、上記躯体固定部は上記フィン部に当接して固定されることを特徴とする請求項２記載のドアサッシ。
【請求項４】
上記補強部材は断面略Ｌ字状に形成されてなることを特徴とする請求項１〜３のいずれか１項に記載のドアサッシ。
【発明の詳細な説明】
【技術分野】
【０００１】
本発明は、建物開口部に設置され人が出入りできるドアを開閉自在に設けたドアサッシに関し、特にドアの施錠状態において外部からバール等でこじ開けられることを防止できるドアサッシに関する。
【背景技術】
【０００２】
建物躯体の開口部には、人が出入りできるようにドアサッシが設けられる。ドアサッシは、建物開口部に設けた方形状の枠体内にドアを開閉自在に納めてなるものであり、ドアには仮止めのためのラッチボルトと、本締めのためのデッドボルトとが設けられている。ラッチボルトとデッドボルトは、いずれもドアの側面から出没自在となるように設けられており、通常ラッチボルトはドアノブにより、デッドボルトは鍵またはサムターンにより操作されるようになっている。このようなドアサッシとしては例えば特許文献１に挙げるようなものがある。
【特許文献１】特開平１１−３２４５０５号公報
【発明の開示】
【発明が解決しようとする課題】
【０００３】
ドアサッシのドアは、上述のようにデッドボルトにより施錠されるが、ドアを施錠していても、デッドボルト設置位置にバール等を差込み、それによってドアをこじ開けられる恐れがあるために、デッドボルトを補強するなどして防犯性を高めている。しかし、バール等により枠体側を変形させ、それによってデッドボルトの枠体に対する係合を解除し、ドアをこじ開けられる恐れがある。
【０００４】
本発明は、上記課題を解決すべくなされたものであり、バール等によりドアをこじ開けることが困難で防犯性の高いドアサッシを提供することを目的とする。
【課題を解決するための手段】
【０００５】
上記課題を解決するため、本発明に係るドアサッシは、方形状の枠体内部に施錠装置を備えたドアを開閉自在に納めてなるドアサッシにおいて、
上記施錠装置は上記ドアの側面から出没自在なデッド部材から構成され、上記枠体には内周面に上記デッド部材と係合する受部が設けられると共に、該受部の設置位置の外周面には補強部材が設けられてなることを特徴として構成されている。
【０００６】
また、本発明に係るドアサッシは、上記補強部材は上記枠体に対して固定される枠体固定部と、上記枠体が取付けられる建物躯体に対して固定される躯体固定部とを有してなることを特徴として構成されている。
【０００７】
さらに、本発明に係るドアサッシは、上記枠体は外周面に建物躯体に対して当接固定されるフィン部を備え、上記枠体固定部は上記枠体の外周面に当接して固定され、上記躯体固定部は上記フィン部に当接して固定されることを特徴として構成されている。
【０００８】
さらにまた、本発明に係るドアサッシは、上記補強部材は断面略Ｌ字状に形成されてなることを特徴として構成されている。
【発明の効果】
【０００９】
本発明に係るドアサッシによれば、枠体の内周面にドアのデッド部材と係合する受部が設けられ、受部の設置位置の外周面には補強部材が設けられてなることにより、枠体の受部付近を変形しにくくすることができ、枠体とドアの間の隙間からバール等を差し込んで受部とデッド部材の係合を解除することを困難にすることができるので、防犯性の高いドアサッシとすることができる。また、補強部材は枠体の外周面に設ける構造としたので、補強部材を単純な形状にすることができ、またその取付けも容易にすることができる。
【００１０】
また、本発明に係るドアサッシによれば、補強部材は枠体に対して固定される枠体固定部と、建物躯体に対して固定される躯体固定部とを有してなることにより、補強部材は枠体と建物躯体の両方に固定されるので、枠体の受部付近をより強固に補強することができる。
【００１１】
さらに、本発明に係るドアサッシによれば、枠体固定部は枠体の外周面に当接して固定され、躯体固定部はフィン部に当接して固定されることにより、補強部材は枠体の外周面及びフィン部とそれぞれ重合状となり一体的に固定されるので、補強効果をより高めることができる。
【００１２】
さらにまた、本発明に係るドアサッシによれば、補強部材は断面略Ｌ字状に形成されてなることにより、補強部材の形成を容易にすることができる。
【発明を実施するための最良の形態】
【００１３】
本発明の実施形態について、図面に沿って詳細に説明する。図１は、本実施形態におけるドアサッシを室外側から見た正面図である。図１に示すように、本実施形態のドアサッシは、建物躯体の開口部に方形状の枠体１を設け、枠体１内にドア２を開閉自在に納めてなるものである。
【００１４】
ドア２の正面には、ドアノブ３と鍵差込口４が設けられており、ドアノブ３は下方に回動させることで、ドア２を仮止めするラッチボルト５を操作することができ、鍵差込口４は鍵を差し込んで回転させることで、ドア２を本締めするデッドボルト６を操作することができる。また、ドア２の鍵差込口４に対応する室内側には、サムターン７が設けられており、これによってもデッドボルト６を操作することができる。ここで、ラッチボルト５とデッドボルト６は、それぞれドア２の側面から出没自在とされてなるものである。ラッチボルト５及びドアノブ３は、操作しやすいようにドア２の上下方向略中央位置に配置されている。デッドボルト６及び鍵差込口４は、ラッチボルト５及びドアノブ３よりも上方及び下方にそれぞれ１つずつ配置されている。
【００１５】
図２には、デッドボルト６が設けられた位置における枠体１及びドア２の横断面拡大図を示している。枠体１を構成する縦枠１０は、室外側の金属縦枠１１と、その室内側露出面を覆う樹脂縦枠１２とからなっている。金属縦枠１１は、外周面に突出するフィン部１４を有しており、このフィン部１４が建物躯体２０に当接し、固定されている。また、樹脂縦枠１２よりも室内側には、額縁材２１が設けられており、樹脂縦枠１２と額縁材２１の重合部分からも建物躯体２０に対してネジ止めがなされている。
【００１６】
また、金属縦枠１１の内周面には、デッドボルト６が係合する錠受部１３が設けられている。デッドボルト６は、鍵差込口４やサムターン７の操作に伴ってドア２側面から突出し、錠受部１３と係合することにより、ドア２を施錠状態とする。
【００１７】
錠受部１３の設置位置における金属縦枠１１の外周面には、補強部材１５が設けられている。補強部材１５は、断面略Ｌ字状に形成されており、金属縦枠１１の外周面に当接する枠体固定部１５ａと、金属縦枠１１のフィン部１４に当接する躯体固定部１５ｂとから構成されている。補強部材１５の枠体固定部１５ａは、金属縦枠１１の外周面と当接し重合状態で互いにネジ止めされている。また、補強部材１５の躯体固定部１５ｂは、金属縦枠１１のフィン部１４と当接し重合状態で共に建物躯体２０に対してネジ止めされている。
【００１８】
デッドボルト６は、上述のように上下２か所設けられており、それぞれに対応して金属縦枠１１には錠受部１３が設けられているので、補強部材１５は各錠受部１３に対応した位置にそれぞれ取付けられる。図１には、補強部材１５の取付位置を点線で示している。
【００１９】
補強部材１５は、このように金属縦枠１１外周面の錠受部１３に対応した位置に設けられているので、枠体１とドア２の間の隙間にバール等を差し込んで、デッドボルト６の錠受部１３に対する係合を解除しようとしても、金属縦枠１１の錠受部１３の取付部分が補強されており変形しにくく、こじ開けることは困難である。したがって、防犯性の高いドアサッシとすることができる。また、補強部材１５は金属縦枠１１の外周面に設けられているので、単純な形状とすることができ、また取付けも容易である。
【００２０】
次に、本発明の第２の実施形態について説明する。図３には、第２の実施形態におけるドアサッシの正面図を示している。この図に示すように、本実施形態におけるドアサッシの基本構成は、第１の実施形態と同様に、方形状の枠体１内にドア２を開閉自在に納めたものである。
【００２１】
ドア２には、第１の実施形態と略同位置にドアノブ３が設けられ、ラッチボルト５を操作する。一方、鍵差込口４はドアノブ３のすぐ上方に１か所設けられていて、デッドボルト６を操作する。サムターン７も鍵差込口４に対応したドア２の室内側に設けられる。すなわち、本実施形態では第１の実施形態と鍵差込口４とサムターン７及びデッドボルト６の位置が異なっている。このため、枠体１側に設けられる錠受部１３の位置もそれに対応して第１の実施形態とは異なっている。
【００２２】
補強部材１５は、第１の実施形態と同様に、断面略Ｌ字状に形成されており、金属縦枠１１の外周面に当接する枠体固定部１５ａと、金属縦枠１１のフィン部１４に当接する躯体固定部１５ｂとから構成されている。その取付位置は、枠体１の内周面において錠受部１３が設けられた位置に対応する枠体１の外周面である。図３には、補強部材１５の取付位置を点線で示している。
【００２３】
このように、補強部材１５は、枠体１のうちドア２のデッドボルト６に対応して設けられる錠受部１３の位置の外周面に設けられることにより、枠体１の錠受部１３付近を変形しにくくすることができ、防犯性の高いドアサッシとすることができる。
【００２４】
以上、本発明の実施形態について説明したが、本発明の適用は本実施形態には限られず、その技術的思想の範囲内において様々に適用されうるものである。例えば、第１の実施形態では、ドアサッシとして金属材の室内側露出部分に樹脂材を配設した複合サッシを示したが、金属材のみからなる金属サッシであってもよい。また、第１及び第２の実施形態では、デッドボルト６を鎌形状のものとしたが、これに限られず一般的に用いられる角柱状のものが鍵またはサムターン７の操作により突出自在とされたデッドボルトであってもよい。
【図面の簡単な説明】
【００２５】
【図１】本実施形態におけるドアサッシの正面図である。
【図２】錠受部の位置における枠体及びドアの横断面拡大図である。
【図３】第２の実施形態におけるドアサッシの正面図である。
【符号の説明】
【００２６】
１    枠体
２    ドア
３    ドアノブ
４    鍵差込口
５    ラッチボルト
６    デッドボルト
１０    縦枠
１１    金属縦枠
１２    樹脂縦枠
１３    錠受部
１４    フィン部
１５    補強部材
１５ａ  枠体固定部
１５ｂ  躯体固定部
２０    建物躯体
【図１】
2006265995.tif 000003
【図２】
2006265995.tif 000004
【図３】
2006265995.tif 000005